(57)【要約】【課題】サーバ１０６から受信した電子情報内容に、自機で取得した表示情報を結合し連動させた合成映像を同一画面上で視認できるようにすると共に、ユーザ独自の専用番組表画面等を構築できるようにする。【解決手段】任意の電子情報内容を配信し処理するシステム１００であって、電子情報内容を配信するサーバ１０６と、このサーバ１０６に配信要求して電子情報内容を受信し、当該電子情報内容を情報処理する情報処理装置１０３と、サーバ１０６と情報処理装置１０３とを接続するインターネット１０５とを備え、情報処理装置１０３は電子情報内容に対して自機で取得した表示情報を編集合成処理し、編集合成後の電子情報内容を表示処理するものである。電子情報内容と表示情報を結合させた合成映像を同一画面上で視ることができる。非常に見やすいユーザ独自の専用番組表画面等を構築することができる。【選択図】　　　　図１
2004007228.tif 000002
【特許請求の範囲】
【請求項１】
任意の電子情報内容を配信し処理するシステムであって、
前記電子情報内容を配信する情報配信装置と、
前記情報配信装置に配信要求して電子情報内容を受信し、当該電子情報内容を情報処理する情報処理装置と、
前記情報配信装置と情報処理装置とを接続する通信手段とを備え、
前記情報処理装置は、
前記情報配信装置から受信した電子情報内容と自機で取得した表示情報とを編集合成処理し、編集合成後の電子情報内容を表示処理することを特徴とする情報処理システム。
【請求項２】
前記情報処理装置は少なくとも２系統のテレビ放送用の受信処理手段を備え、
前記電子情報内容が番組表画面を表示する情報である場合であって、
前記番組表画面の所定の位置に、第１の受信処理手段によって選局受信した任意の番組動画映像を当てはめて表示すると共に、第２の受信処理手段を所定の時間毎に選局巡回させることによって受信した裏番組に係る複数の静止画映像を同一番組表画面内に表示することを特徴とする請求項１に記載の情報処理システム。
【請求項３】
前記情報処理装置は、
前記情報配信装置に対して番組表情報を配信要求する配信要求手段と、
前記配信要求手段によって情報配信装置から受信した番組表情報に基づいて番組表画面を表示するタッチパネル方式の表示手段と、
前記表示手段に表示された番組表画面上で操作入力される選局情報に基づいて前記受信処理手段を制御する制御装置とを有することを特徴とする請求項１に記載の情報処理システム。
【請求項４】
前記表示手段には、
前記番組表画面に対する親画面及び子画面の大きさ又は／及び位置を指定する入力手段が備えられることを特徴とする請求項３に記載の情報処理システム。
【請求項５】
前記制御装置は、
前記入力手段によって指定された親画面及び子画面の大きさ又は／及び位置に基づいて番組表画面内で親画面領域及び複数の子画面領域を設定し、
前記親画面領域には番組動画映像を表示し、
前記子画面領域には静止画映像を表示するように前記表示手段を表示制御することを特徴とする請求項３に記載の情報処理システム。
【請求項６】
前記制御装置は、
前記番組表画面に対する親画面及び子画面の大きさ又は／及び位置に関する命令体系を前記情報配信装置に登録し、
前記情報配信装置は、
前記命令体系を含めた電子情報内容を配信することを特徴とする請求項３に記載の情報処理システム。
【請求項７】
前記制御装置は、
前記表示手段に表示された番組表画面上で操作入力される選局情報に基づいて前記受信処理手段を選局制御することを特徴とする請求項３に記載の情報処理システム。
【請求項８】
前記制御装置は、
前記選局情報に基づいて前記親画面領域に表示された番組映像内容と、前記子画面領域に表示された番組映像内容とを入れ替えるように前記表示手段を表示制御することを特徴とする請求項３に記載の情報処理システム。
【請求項９】
前記制御装置に無線手段が設けられると共に、前記表示手段に無線手段が設けられ、
前記制御装置と前記表示手段との間で無線通信処理がなされることを特徴とする請求項３に記載の情報処理システム。
【請求項１０】
前記制御装置には、
前記情報配信装置から配信された番組表情報を格納する不揮発性の記憶装置が備えられることを特徴とする請求項３に記載の情報処理システム。
【請求項１１】
前記通信手段には、
放送基盤、公衆電話回線、専用通信回線又は／及びインターネットが使用されることを特徴とする請求項１に記載の情報処理システム。
【請求項１２】
前記情報配信装置は、
前記情報処理装置を対象として提供される前記番組表情報の配信サービスを個別に管理することを特徴とする請求項１に記載の情報処理システム。
【請求項１３】
前記情報配信装置には、
前記番組表情報を格納するデータベースが備えられ、
前記番組表情報は、
新たな番組が制作される毎に前記データベースで更新されることを特徴とする請求項１に記載の情報処理システム。
【請求項１４】
前記情報配信装置は、
前記番組表情報の配信サービスを実現する場合であって、
当該配信サービスの決済に対応した有料課金処理をすることを特徴とする請求項１に記載の情報処理システム。
【請求項１５】
情報配信系から任意の電子情報内容を受信して情報処理する装置であって、
前記情報配信系に対して電子情報内容を配信要求する配信要求手段と、
前記配信要求手段によって配信要求した電子情報内容を前記情報配信系から受信し、当該電子情報内容と自機で取得した表示情報とを編集合成する制御装置と、
前記制御装置により編集合成された電子情報内容を表示する表示手段とを備えることを特徴とする情報処理装置。
【請求項１６】
前記制御装置で編集合成するための表示情報を受信する少なくとも２系統のテレビ放送用の受信処理手段を備え、
前記電子情報内容が番組表画面を表示する情報である場合であって、
前記番組表画面の所定の位置に、第１の受信処理手段によって選局受信した任意の番組動画映像を当てはめて表示すると共に、第２の受信処理手段を所定の時間毎に選局巡回動作させることによって受信した裏番組に係る複数の静止画映像を同一番組表画面内に表示することを特徴とする請求項１５に記載の情報処理装置。
【請求項１７】
前記表示手段には、
前記番組表画面に対する親画面及び子画面の大きさ又は／及び位置を指定する入力手段が備えられることを特徴とする請求項１５に記載の情報処理装置。
【請求項１８】
前記制御装置は、
前記入力手段によって指定された親画面及び子画面の大きさ又は／及び位置に基づいて番組表画面内で親画面領域及び複数の子画面領域を設定し、
前記親画面領域には番組動画映像を表示し、
前記子画面領域には静止画映像を表示するように前記表示手段を表示制御することを特徴とする請求項１５に記載の情報処理装置。
【請求項１９】
前記制御装置は、
前記番組表画面に対する親画面及び子画面の大きさ又は／及び位置に関する命令体系を前記情報配信系に登録し、
前記情報配信系から前記命令体系を含めた電子情報内容を受信することを特徴とする請求項１５に記載の情報処理装置。
【請求項２０】
前記制御装置は、
前記表示手段に表示された番組表画面上で操作入力される選局情報に基づいて前記受信処理手段を選局制御することを特徴とする請求項１５に記載の情報処理装置。
【請求項２１】
前記制御装置は、
前記選局情報に基づいて前記親画面領域に表示された番組映像内容と、前記子画面領域に表示された番組映像内容とを入れ替えるように前記表示手段を表示制御することを特徴とする請求項１５に記載の情報処理装置。
【請求項２２】
前記制御装置に無線手段が設けられると共に、前記表示手段に無線手段が設けられ、
前記制御装置と前記表示手段との間で無線通信処理がなされることを特徴とする請求項１５に記載の情報処理装置。
【請求項２３】
前記制御装置には、
前記情報配信系から配信された番組表情報を格納する不揮発性の記憶装置が備えられることを特徴とする請求項１５に記載の情報処理装置。
【請求項２４】
任意の電子情報内容を配信し処理する方法であって、
前記電子情報内容を配信する情報配信系と当該電子情報内容を情報処理する情報処理系とを通信手段を通じて接続し、
前記情報配信系に配信要求して電子情報内容を受信すると共に、前記情報処理系で表示情報を取得し、
前記情報配信系から受信した電子情報内容と前記情報処理系で取得した表示情報とを編集合成し、
編集合成後の前記電子情報内容を同一画面上で表示することを特徴とする情報処理方法。
【請求項２５】
前記電子情報内容が番組表画面を表示する情報である場合であって、
前記情報処理系において、
前記番組表画面の所定の位置に、任意の番組動画映像を当てはめて表示すると共に、裏番組に係る複数の静止画映像を同一番組表画面内に表示することを特徴とする請求項２４に記載の情報処理方法。
【請求項２６】
前記情報処理系において、
前記番組表画面に対する親画面及び子画面の大きさ又は／及び位置を指定し、
指定された前記親画面及び子画面の大きさ又は／及び位置に基づいて番組表画面内で親画面領域及び複数の子画面領域を設定し、
前記親画面領域には番組動画映像を表示し、
前記子画面領域には静止画映像を表示することを特徴とする請求項２４に記載の情報処理方法。
【請求項２７】
前記情報処理系では、
前記番組表画面に対する親画面及び子画面の大きさ又は／及び位置に関する命令体系を前記情報配信系に登録し、
前記情報配信系では、
前記情報処理系に対して命令体系を含めた電子情報内容を配信することを特徴とする請求項２４に記載の情報処理方法。
【請求項２８】
前記情報処理系において、
前記親画面領域に表示された番組映像内容と、前記子画面領域に表示された番組映像内容とを選択情報に基づいて入れ替えることを特徴とする請求項２４に記載の情報処理方法。
【請求項２９】
前記通信手段には、
放送基盤、公衆電話回線、専用通信回線又は／及びインターネットを使用することを特徴とする請求項２４に記載の情報処理方法。
【請求項３０】
前記情報配信系では、
前記情報処理系を対象として提供される前記番組表情報の配信サービスを個別に管理することを特徴とする請求項２４に記載の情報処理方法。
【請求項３１】
前記情報配信系では、
新たな番組が制作される毎に前記番組表情報を更新することを特徴とする請求項２４に記載の情報処理方法。
【請求項３２】
前記情報配信系では、
前記番組表情報の配信サービスを実現する場合であって、
当該配信サービスの決済に対応した有料課金処理をすることを特徴とする請求項２４に記載の情報処理方法。
【発明の詳細な説明】
【０００１】
【発明の属する技術分野】
本発明は、既存のテレビ放送番組に係る番組表等の電子情報内容を配信するサービスシステムに適用して好適な情報処理システム、情報処理装置及び情報処理方法に関するものである。
【０００２】
詳しくは、任意の電子情報内容を配信要求して情報配信系から電子情報内容を受信する情報処理装置を備え、この情報処理装置は電子情報内容に対して自機で取得した表示情報を編集合成処理し、編集合成後の電子情報内容を表示処理して、情報配信系から取得した電子情報内容と、自機で取得した表示情報とを結合し連動させた合成映像を同一画面上で視認できるようにすると共に、ユーザ独自の専用番組表画面等を構築できるようにしたものである。
【０００３】
【従来の技術】
近年、デジタル情報処理技術が発達し、地上波のテレビ放送波を始め、近頃ではディジタルＣＳ／ＢＳといったデジタル放送波を受信可能なテレビが使用される場合が多くなってきた。この種のテレビジョン受信システムによれば、受信地域によって異なるが、受信可能なチャンネルが多数準備されており、好みのチャンネルが選択可能となされている。また、このような多種類の放送番組に対して、ダブルチューナを備え、テレビ動画映像中に、いわゆる裏番組に関する静止画映像を見せるマルチ画面表示機能（テレビジョン・イン・テレビジョン）を導入したシステムも一部で利用されている。
【０００４】
一方で、インターネットの発達によって各種のネットサービスを受けることができるようになってきた。この種のネットサービスには現在放送されている番組の情報を配信するものがある。この番組情報は１週間分の番組表を電子情報内容にして配信される。
【０００５】
このサービスを受けるためには、一般に、予め情報提供事業者（以下で情報配信系ともいう）にユーザを登録したり、サービス提供時に個人認証や、ダウンロード終了時等に決済処理がなされる。この情報提供事業者に対して、ユーザの氏名、住所、生年月日、銀行口座番号等を登録（ユーザ登録）してＩＤ番号を取得し、以後、ネットサービスの提供を受ける場合は、そのＩＤ番号を入力して認証するようになされる。
【０００６】
【発明が解決しようとする課題】
ところで、従来方式のマルチ画面表示機能を導入したテレビジョン受信システムによれば、同一画面のテレビ動画映像中に、いわゆる裏番組に関する静止画映像を表示するようになされる。この静止画映像に関してはその受信チャネルが表示される。
【０００７】
従って、その番組タイトルや、その放送番組以降の放送内容を同一画面から知ることができない。このような場合に、ユーザは新聞や、別に番組表情報配信サービス等により取得した番組表等を視てその裏番組に係る番組タイトルや、その後の放送番組のタイトル等を確認しなければならない。これにより、受信可能チャネルが増えてくると、番組表中の放送局数が増加し、慣れないユーザに取ってこの種の配信サービスからせっかく取得した番組表情報が有効に利用されないばかりか、益々取り扱いづらくなったり、配信サービスの需要離れにつながるという問題がある。
【０００８】
そこで、この発明はこのような従来の課題を解決したものであって、情報配信系から受信した電子情報内容に、自機で取得した表示情報を結合し連動させた合成映像を同一画面上で視認できるようにすると共に、ユーザ独自の専用番組表画面等を構築できるようにした情報処理システム、情報処理装置及び情報処理方法を提供することを目的とする。
【０００９】
【課題を解決するための手段】
上述した課題は、任意の電子情報内容を配信し処理するシステムであって、
電子情報内容を配信する情報配信装置と、この情報配信装置に配信要求して電子情報内容を受信し、当該電子情報内容を情報処理する情報処理装置と、情報配信装置と情報処理装置とを接続する通信手段とを備え、情報処理装置は情報配信装置から受信した電子情報内容と、自機で取得した表示情報とを編集合成処理し、編集合成後の電子情報内容を表示処理することを特徴とする情報処理システムによって解決される。
【００１０】
本発明に係る情報処理システムによれば、任意の電子情報内容を処理する場合に、当該情報処理装置と情報処理装置とが通信手段により接続される。通信手段には、例えば、放送基盤、公衆電話回線、専用通信回線又は／及びインターネットが使用される。また、情報処理装置では情報配信装置に対して例えば、「番組表」に係る電子情報内容の配信が要求される。
【００１１】
これを前提にして、配信要求を受信した情報配信装置では「番組表」に係る電子情報内容（番組表情報）を情報処理装置に配信する。情報処理装置では情報配信装置から受信した番組表情報に対して自機で取得したテレビ動画映像等の表示情報を編集合成処理し、編集合成後の電子情報内容を表示処理するものである。
【００１２】
例えば、番組表画面の所定の位置に、第１の受信処理手段によって選局受信した任意の番組動画映像を当てはめて表示すると共に、第２の受信処理手段を所定の時間毎に選局巡回動作させることによって受信した裏番組に係る複数の静止画映像を同一番組表画面内に表示するようになされる。
【００１３】
従って、情報配信装置から受信した番組表等の電子情報内容に、自機で取得したテレビ動画映像やその裏番組に係る静止画映像等の表示情報を結合し連動させた合成映像を同一画面上で視ることができる。これにより、当該情報処理装置で非常に見やすいユーザ独自の専用番組表画面等を構築することができる。
【００１４】
本発明に係る情報処理装置は情報配信系から任意の電子情報内容を受信して情報処理する装置であって、情報配信系に対して電子情報内容を配信要求する配信要求手段と、この配信要求手段によって配信要求した電子情報内容を情報配信系から受信し、当該電子情報内容に対して自機で取得した表示情報を編集合成する制御装置と、この制御装置により編集合成された電子情報内容を表示する表示手段とを備えることを特徴とするものである。
【００１５】
本発明に係る情報処理装置によれば、情報配信系から任意の電子情報内容を受信して情報処理する場合に、配信要求手段では情報配信系に対して例えば、「番組表」に係る電子情報内容の配信要求処理をする。このとき、制御装置と当該情報配信系とがインターネット等の通信手段により接続される。これを前提にして、配信要求を受信した情報配信系では「番組表」に係る電子情報内容（番組表情報）を制御装置に配信する。制御装置では情報配信系から受信した番組表情報と、自機で取得したテレビ動画映像等の表示情報とを編集合成処理し、この編集合成後の電子情報内容を表示手段に表示するものである。
【００１６】
例えば、番組表画面の所定の位置に、第１の受信処理手段によって選局受信した任意の番組動画映像を当てはめて表示すると共に、第２の受信処理手段を所定の時間毎に選局巡回させることによって受信した裏番組に係る複数の静止画映像を同一番組表画面内に表示するようになされる。
【００１７】
従って、情報配信系から受信した番組表等の電子情報内容に、自機で取得したテレビ動画映像やその裏番組に係る静止画映像等の表示情報を結合し連動させた合成映像を同一画面上で視ることができる。これにより、当該表示手段で非常に見やすいユーザ独自専用の番組表画面等を構築することができる。
【００１８】
本発明に係る情報処理方法は任意の電子情報内容を配信し処理する方法であって、電子情報内容を配信する情報配信系と当該電子情報内容を情報処理する情報処理系とを通信手段を通じて接続し、情報配信系に配信要求して電子情報内容を受信すると共に、情報処理系で表示情報を取得し、情報配信系から受信した電子情報内容と情報処理系で取得した表示情報とを編集合成し、編集合成後の電子情報内容を同一画面上で表示することを特徴とするものである。
【００１９】
本発明に係る情報処理方法によれば、任意の電子情報内容を配信し処理する場合に、情報配信系から受信した番組表等の電子情報内容に、情報処理系で取得したテレビ動画映像やその裏番組に係る静止画等の表示情報を結合し連動させた合成映像を同一画面上で視ることができる。従って、当該情報処理系で非常に見やすいユーザ独自専用の番組表画面等を構築することができる。
【００２０】
【発明の実施の形態】
続いて、この発明に係る情報処理システム、情報処理装置及び情報処理方法の一実施の形態について、図面を参照しながら説明をする。
（１）実施形態
図１は本発明に係る実施形態としての情報処理システム１００の構成例を示すブロック図である。
この実施形態では任意の電子情報内容を配信要求し、情報配信系から電子情報内容を受信する情報処理装置を備え、この情報処理装置は情報配信装置から受信した電子情報内容と、自機で取得した表示情報とを編集合成処理し、編集合成後の電子情報内容を表示処理して、情報配信系から取得した番組表等の電子情報内容と、自機で取得したテレビ動画映像やその裏番組に係る静止画等の表示情報とを結合し連動させた合成映像を同一画面上で視聴できるようにすると共に、非常に見やすいユーザ独自の専用番組表画面等を構築できるようにしたものである。
【００２１】
図１に示す情報処理システム１００は、任意の電子情報内容を配信し処理するシステムであり、例えば、既存のテレビ放送番組に係る番組表等の電子情報内容を配信するサービスシステムに適用して好適である。このシステム１００では情報提供事業者側に情報配信装置の一例となるサーバ１０６が準備され、テレビ放送に係る番組表情報等の電子情報内容を配信するようになされる。もちろん、電子情報内容は番組表情報等に限られない。
【００２２】
サーバ１０６には番組表情報等を格納するデータベース１０７が備えられ、番組表情報は新たな番組が制作される毎に、及び日を追う毎に更新される。サーバ１０６は当該情報処理装置を対象として提供される番組表情報等の配信サービスを個別に管理するようになされる。例えば、サーバ１０６は番組表情報の配信サービスを実現する場合であって、当該配信サービスの決済に対応した有料課金処理をする。
【００２３】
一方で情報利用者側には情報処理装置１０３が準備される。この情報処理装置１０３には例えば、地上波のテレビ放送を受信する２つの受信処理系を有した対象機器として「エアボード」（ソニー（株）：登録商標）が使用される。この種の対象機器ではテレビ放送受信システムを前提とし、情報処理装置１０３が固定用の選局装置１０１及び携帯端末用の表示装置１０２から構成され、この選局装置１０１から表示装置１０２のみを分離し搬送可能になされる。この表示装置１０２はタッチパネルを備えたものが好ましい。
【００２４】
この受信処理系は選局装置１０１に備えられ、第１の受信処理系では、ユーザが任意に選択受信した番組動画映像が取得され、第２の受信処理系では所定の時間毎に選局巡回動作させることによって複数の裏番組が受信され、その裏番組に係る複数の静止画映像が取得される。
【００２５】
このような情報処理装置１０３と上述のサーバ１０６とは通信手段の一例となるインターネット１０５により接続される。通信手段にはインターネット１０５の他に放送基盤、公衆電話回線、又は／及び専用通信回線が使用される。情報処理装置１０３ではサーバ１０６に配信要求して電子情報内容を受信し、当該電子情報内容を情報処理するようになされる。
【００２６】
このシステム１００では、情報処理装置１０３とサーバ１０６の間で、例えば、表示装置１０１で番組表画面に対する親画面及び子画面の大きさ又は／及びその表示位置に関する命令体系が取り決められる。この取り決めでは当該電子情報内容の表示画面に関して、動画表示領域や静止画表示領域等の表示位置が登録される。このような取り決めがなされない場合は、予めサーバ１０６に対して当該電子情報内容の表示画面に関して、動画表示領域や静止画表示領域等の表示位置を登録するようになされる。この部分をブランクにして電子情報内容を配信するためである。
【００２７】
サーバ１０６ではこの登録に基づく命令体系を含めた電子情報内容を配信するようになされる。情報処理装置１０３ではサーバ１０６から受信した「番組表」等の電子情報内容と、自機で取得した表示情報とを編集合成処理し、編集合成後の電子情報内容を表示処理するようになされる。この表示情報には地上波テレビ放送による動画映像や、その裏番組としての静止画映像が含まれる。もちろん、表示情報はこれに限られることはない。配信サービスの内容によっては、デジタルカメラ等により私的に撮影した動画映像や静止画映像も対象となる。
【００２８】
続いて、本発明に係る情報処理方法について説明をする。図２は情報処理システム１００における処理例を示すフローチャートである。
【００２９】
この実施形態では任意の電子情報内容を配信し処理する場合であって、情報処理系Ｉと情報配信系ＩＩとの間で当該電子情報内容の表示画面に関して、動画表示領域や静止画表示領域等の表示位置が予め取り決めされる場合を前提とする。この取り決めがなされない場合は、情報処理系Ｉから情報配信系ＩＩへ当該電子情報内容の表示画面に関して、動画表示領域や静止画表示領域等の表示位置が予め登録される。以後、表示位置を変更する場合は変更登録がなされる。表示位置を変更しない場合は変更登録の必要は生じない。
【００３０】
これを前提して、図２に示すフローチャートのステップＡ１で、まず、当該情報処理装置１０３の電源をオンした後に、ステップＡ２で電子情報内容を配信する情報配信系ＩＩと当該電子情報内容を情報処理する情報処理系Ｉとをインターネット１０５を通じて接続する。システム１００の構築方法によっては、インターネット１０５の他に、例えば、放送基盤、公衆電話回線又は／及び専用通信回線が使用される。
【００３１】
そして、ステップＡ３で情報処理系Ｉから情報配信系ＩＩへ例えば、地上波テレビ放送の「番組表」に係る電子情報内容の配信が要求される。この配信要求は情報処理装置１０３を構成する表示装置１０２等によりなされる。
【００３２】
そして、ステップＡ４で情報処理系Ｉは情報配信系ＩＩから所定の命令体系を含めた電子情報内容を受信する。情報処理系Ｉでは情報配信系ＩＩから受信した電子情報内容を例えば、選局装置１０１内蔵のキャッシュメモリ等に一時格納するようになされる。電子情報内容の格納後はインターネット１０５への接続が「断」される。
【００３３】
その後、ステップＡ５で情報処理系Ｉは表示情報を取得する。この表示情報は地上波テレビ放送による動画映像又は／及び静止画映像である。このとき、情報処理装置１０３では、第１の受信処理系によって任意に選択受信した番組動画映像が取得され、第２の受信処理系で所定の時間毎に選局巡回動作させることによって複数の裏番組が受信され、その裏番組に係る複数の静止画映像が取得される。もちろん、これに限られることはない。
【００３４】
他方、ステップＡ６で情報配信系ＩＩから受信した電子情報内容をキャッシュメモリ等から読み出す。所定の命令体系に基づいて表示情報等を編集合成処理するためである。そして、ステップＡ７に移行して情報配信系ＩＩからの電子情報内容と、情報処理系Ｉで取得した表示情報とを所定の命令体系に基づいて編集合成する。このとき、番組表画面の動画表示領域に、第１の受信処理系Ｉで選局受信した任意の番組動画映像を当てはめるように編集される。また、番組表画面の静止画表示領域には第２の受信処理系で所定の時間毎に選局巡回動作させることによって取得した裏番組に係る複数の静止画映像を当てはめるように編集される。
【００３５】
そして、ステップＡ８で編集合成後の電子情報内容を情報処理装置１０３の同一画面上で表示する。このとき、番組表画面の所定の位置に当てはめられた番組動画映像が表示されると共に、所定の時間毎に選局巡回動作させることによって取得した裏番組に係る複数の静止画映像が同一番組表画面内に表示される。その後、ステップＡ９に移行して当該番組表画面を継続して表示するか判別される。この画面を継続して表示する場合はステップＡ５及びＡ６に戻って上述した処理を繰り返される。この画面表示を継続しない場合、例えば、電源オフ情報を検出して情報処理を終了する。
【００３６】
このように、本発明に係る実施形態としての情報処理システム１００によれば、任意の電子情報内容を処理する場合に、サーバ１０６では配信要求を受信した例えば、「番組表」に係る電子情報内容（番組表情報）を情報処理装置１０３に配信するようになされる。情報処理装置１０３ではサーバ１０６から受信した番組表情報と、自機で取得したテレビ動画映像等の表示情報とを編集合成処理し、編集合成後の電子情報内容を表示処理するようになされる。
【００３７】
従って、サーバ１０６から受信した番組表等の電子情報内容に、自機で取得したテレビ動画映像やその裏番組に係る静止画映像等の表示情報を結合し連動させた合成映像を同一画面上で視ることができる。これにより、当該情報処理装置１０３で非常に見やすいユーザ独自の専用番組表画面等を構築することができる。
【００３８】
この実施形態ではステップＡ５及びステップＡ６を並列処理しているが、これに限られることはなく、ステップＡ５の表示情報の取得処理を先にして、ステップＡ６の電子情報内容の読み出しを後に実行してステップＡ７に移行するようにしてもよい。また、反対に、ステップＡ６の電子情報内容の読み出しを先にして、ステップＡ５の表示情報の取得処理を後に実行してステップＡ７に移行するようにしてもよい。
【００３９】
（２）実施例
図３は本発明に係る各実施例としての番組表情報配信処理システム２の構成例を示すイメージ図である。
図３に示す番組表情報配信処理システム２は情報処理システムの一例であり、「ＭＹ番組表」や、「ａｉｒｂｏテレビ」等の番組表情報を配信しそれを処理するシステムである。番組表情報配信処理システム２では情報処理装置１０３として選局装置１０１及び表示装置１０２が準備され、電子情報内容として番組表情報を情報配信系ＩＩへ配信要求し、サーバ１０６等から受信した番組表情報と、自機で取得したテレビ動画映像等の表示情報とを編集合成処理し、この編集合成後の電子情報内容を表示処理するものである。
【００４０】
この選局装置１０１及び表示装置１０２はテレビジョン受信システムを構成し、選局装置１０１と、表示装置１０２とは無線通信により接続され、１組で情報処理装置１０３を構成するものである。
【００４１】
選局装置１０１は例えば、家庭の屋内に設置されて用いられるものである。選局装置１０１は少なくとも２系統のテレビ放送用の受信処理手段を備え、番組表画面の所定の位置に、第１の受信処理系によって選局受信した任意の番組動画映像を当てはめて表示すると共に、第２の受信処理系段を所定の時間毎に選局巡回させることによって受信した裏番組に係る複数の静止画映像を同一番組表画面内に表示するようになされる。
【００４２】
また、表示装置１０２は、使用者の近傍において用いられるものである。この選局装置１０１には、屋外に設置されたテレビ放送信号受信用の受信用のアンテナ１１１に接続されて屋外から屋内に引き込まれたアンテナケーブル１１１ｃｂが接続されるとともに、電話網に接続されて屋外から屋内に引き込まれた電話線Ｌが接続される。インターネットに接続するためである。
【００４３】
この選局装置１０１は、アンテナ１１１により受信して選局したテレビ放送信号を復調して、これを送受信用のアンテナ１１８を通じて表示装置１０２に向けて無線送信したり、あるいは、電話線Ｌを通じて送信されてくる信号を受信して復調し、これを送受信用のアンテナ１１８を通じて、表示装置１０２に向けて無線送信する。
【００４４】
また、選局装置１０１は表示装置１０２から指示情報や電子メールなどの送信情報を送受信用のアンテナ１１８を通じて受信し、受信した指示情報に応じて選局するテレビ放送信号を変えたり、送信情報を電話線Ｌを通じて送信したりすることができるものである。
【００４５】
表示装置１０２は選局装置１０１から無線送信されてくるテレビ放送番組の信号を受信し、表示手段の一例となる液晶表示部（Ｌｉｑｕｉｄ　Ｃｒｙｓｔａｌ　Ｄｉｓｐｌａｙ；以下でＬＣＤという）１２５の表示画面に、受信した信号に含まれる画像信号に応じた画像を表示する。この例でＬＣＤ１２５において、番組表画面の所定の位置に当てはめられた番組動画映像が表示されると共に、所定の時間毎に選局巡回動作させることによって取得した裏番組に係る複数の静止画映像が同一番組表画面内に表示される。これと共に、表示装置１０２では受信した信号に含まれる音声信号による音声をスピーカから放音（発音）することにより、テレビ放送番組の視聴を可能となされる。
【００４６】
また、表示装置１０２は選局装置１０１が電話線Ｌを通じて受信して無線送信してくる例えば電子メールやインターネット１０５のホームページなどの信号を受信し、受信した信号から表示用信号を形成し、この表示用信号に応じた画像をＬＣＤ１２５に表示して使用者に提供できるようになされている。
【００４７】
さらに、この表示装置１０２のＬＣＤ１２５の表示画面には、タッチパネル３５１が貼付されており、ＬＣＤ１２５の表示画面に表示される表示情報とタッチパネル３５１とにより、使用者からの各種の指示入力などの情報の入力を受け付けることができるようにしている。そして、タッチパネル３５１を用いることによって、電子メールを作成して送信したり、自分宛ての電子メールを受信して表示したりするなど各種の操作を行うことができるようにしている。
【００４８】
この他に、ＡＶ機器等を遠隔制御するユーザインターフェースとしてのリモコン機能を有している。このリモコン機能は、リモコンコマンドに基づいて表示装置１０２で遠隔操作画面の表示処理をし、この遠隔操作画面上でリモコンキーの入力操作によって遠隔操作情報が選択される。この遠隔操作情報に基づいて選局装置１０１でＡＶ機器等を遠隔制御することができる。
【００４９】
この例では表示装置１０２の表示画面上で、上述のリモコンコマンドに基づくリモコン映像と、タッチパネル３５１の入力操作機能により、いわゆる「リモコン」が構築され、リモコンキーの入力操作によって遠隔操作情報を選局装置１０１へ出力するようになされる。
【００５０】
つまり、この表示装置１０２は選局装置１０１によりテレビジョン受信システムに取り込まれた情報を使用者に提供したり、使用者からの情報を受け付けるユーザインターフェースとしての機能を有している。
【００５１】
また、選局装置１０１は図３に示すように、アンテナケーブル１１１ｃｂとの接続端子Ｔ１や電話線Ｌとの接続端子Ｔ２が設けられた位置に応じて、その両方に確実に接続することが可能な位置に設置して用いる。そして、図３に示したように、選局装置１０１と表示装置１０２とは無線接続される。
【００５２】
従って、選局装置１０１からの無線信号の受信が可能なエリアであれば何処ででも、表示装置１０２を用いることによって目的とするテレビ放送番組を視聴したり、インターネット１０５に接続して電子メールのやり取りを行うなどのことができる。更に、遠くに離れたところにあるＤＶＤ機器や、ディジタルＣＳチューナー等のＡＶ機器等を表示装置１０１の操作画面上のリモコンで遠隔操作できるようになされる。
【００５３】
続いて、選局装置１０１及び表示装置１０２の内部構成例について、それぞれ内容を分けて説明する。
［選局装置］
図４は選局装置１０１の内部構成例を示すブロック図である。この選局装置１０１は所定のＷｅｂサイトから地上波テレビ放送の番組表等に係るアプリケーション（ソフトウエア）をダウンロード可能な装置である。選局装置１０１は地上波テレビ放送受信用の２つの受信処理手段（系）Ｒ１，Ｒ２を有している。選局装置１０１はテレビ放送信号や、電話線Ｌを通じて提供される各種の情報を、この実施の形態のテレビ受信システムに取り込んだり、この実施の形態のテレビ受信システムから電話線Ｌを通じて通信ネットワークに情報を送出したりするインターフェースとしての機能を有している。
【００５４】
この選局装置１０１の各部は制御装置及び配信要求手段の一例となる制御部２００によって制御するようにされている。制御部２００は、図４に示すように、ＣＰＵ（Ｃｅｎｔｒａｌ　Ｐｒｏｃｅｓｓｉｎｇ　Ｕｎｉｔ）２０１、ＲＯＭ（Ｒｅａｄ　Ｏｎｌｙ　Ｍｅｍｏｒｙ）２０２、ＲＡＭ（Ｒａｎｄｏｍ　Ａｃｃｅｓｓ　Ｍｅｍｏｒｙ）２０３、ＥＥＰＲＯＭ（Ｅｌｅｃｔｒｉｃａｌｌｙ　Ｅｒａｓａｂｌｅ　Ｐｒｏｇｒａｍｍａｂｌｅ　Ｒｅａｄ　Ｏｎｌｙ　Ｍｅｍｏｒｙ）２０４がＣＰＵバス２０６を通じて接続されて構成されたマイクロコンピュータである。
【００５５】
制御部２００では情報配信系ＩＩのサーバ１０６に対して番組表情報を配信要求したり、表示装置１０２に表示された番組表画面上で操作入力される選局情報に基づいて２つの受信処理手段Ｒ１，Ｒ２を制御する。制御部２００には不揮発性の記憶装置の一例となるＥＥＰＲＯＭ２０４が備えられ、サーバ１０６から受信した「ＭＹ番組表」や「ａｉｒｂｏテレビ」等の番組表情報を格納するようになされる。
【００５６】
ここで、ＲＯＭ２０２は、この実施の形態の選局装置１０１において実行する各種の処理プログラムや情報処理に必要なデータなどが記録されたものである。ＲＡＭ２０３は、各種の処理において得られたデータを一時的に記憶保持するなどのように、主に各種の処理の作業領域として用いられるものである。
【００５７】
ＥＥＰＲＯＭ２０４はいわゆる不揮発性のメモリであり、電源が落とされても、記憶保持した情報が失われることがなく、番組表情報の他に、選局装置１０１の主電源が落とされる直前まで選局していた放送チャンネルの情報を記憶保持し、電源投入後においては、前回電源が落とされる直前まで選局していたチャンネルの放送信号を選局するようにするいわゆるラストチャンネルメモリ機能を実現することなどができるようにしている。
【００５８】
上述の制御部２００は表示装置１０２に表示された番組表画面上で操作入力される選局情報に基づいて２つの受信処理手段Ｒ１，Ｒ２を選局制御する。受信処理手段Ｒ１は選局部（チューナー）１１２、復調部１１３、スイッチ回路１１４、圧縮処理部１１５及び送信信号形成部１１６を有している。
【００５９】
受信処理手段Ｒ１ではユーザによって選局された任意の番組動画映像に係る送信信号を復調処理等をして表示装置１０２に出力するようになされる。この送信信号は表示装置１０２の番組表画面の所定の位置で番組動画映像を表示するために使用される。
【００６０】
選局部１１２では受信用のアンテナ１１１からのテレビ放送信号の中から、制御部２００からの選局指示信号に応じたテレビ放送信号を選局し、この選局したテレビ放送信号を復調部１１３に供給する。復調部１１３はこれに供給されたテレビ放送信号を復調して、復調後の信号（テレビ番組の信号）をスイッチ回路１１４の入力端ａに供給する。
【００６１】
スイッチ回路１１４は制御部２００からの切り換え制御信号により切り換え制御され、復調部１１３から入力端ａに供給されるテレビ番組の信号を出力するのか、あるいは、制御部２００から入力端ｂに供給される信号を出力するのかを切り換える。なお、制御部２００からスイッチ回路１１４に供給される信号は後述もするように、電話線Ｌを通じて選局装置１０１に供給され、通信用のモデム部２１０を通じて受信した電子メールやインターネット１０５のいわゆるホームページの情報などである。
【００６２】
また、スイッチ回路１１４から出力された信号は圧縮処理部１１５に供給される。圧縮処理部１１５はこれに供給された信号を所定の圧縮方式を用いてデータ圧縮する。この圧縮処理部１１５においては例えば、ＭＰＥＧ（ＭｏｖｉｎｇＰｉｃｔｕｒｅＥｘｐｅｒｔＧｒｏｕｐ）方式やＷａｖｅｌｅｔ方式などのデータ圧縮方式を用いて、スイッチ回路１１４からの信号をデータ圧縮する。
【００６３】
圧縮処理部１１５においてデータ圧縮された信号は送信信号形成部１１６に供給される。送信信号形成部１１６は予め決められた通信プロトコルに準拠した送信信号を形成する。この実施形態においてはＩＥＥＥ（Ｉｎｓｔｉｔｕｔｅ　ｏｆ　Ｅｌｅｃｔｒｉｃａｌ　ａｎｄＥｌｅｃｔｒｏｎｉｃＥｎｇｉｎｅｅｒｓ）８０２．１１方式のプロトコル、あるいはその発展プロトコルに準拠した送信信号Ｓ１を形成する。この送信信号Ｓ１は表示装置１０２の番組表画面の所定の位置に、任意の番組動画映像を表示するための信号である。
【００６４】
また、受信処理手段Ｒ２は選局部（チューナー）１２Ａ、復調部１３Ａ、スイッチ回路１４Ａ、圧縮処理部１５Ａ及び送信信号形成部１６Ａを有しており、選局部１２Ａを所定の時間毎に選局巡回動作させることによって受信し、復調処理等をした送信信号を出力する。送信信号は裏番組に係る複数の静止画映像を表示するための信号であり、表示装置１０２に出力される。
【００６５】
この受信処理手段Ｒ２によれば、上述のテレビ放送信号受信用のアンテナ１１１からのアンテナケーブル１１１ｃｂが、選局装置１０１の選局部１２Ａに接続される。このアンテナ１１１により受信されたテレビ放送信号は選局部１２Ａに供給される。
【００６６】
選局部１２Ａでは制御部２００によって所定の時間毎に選局巡回動作をする。各チャネルを巡回動作させることにより、デジタル信号として現在放送されている番組をキャプチャして裏番組に係る静止画映像（以下でサムネイル映像という）を一覧表示することができる。
【００６７】
この動作によれば、例えば、３秒間毎に受信チャネルを切り換え、受信用のアンテナ１１１からの裏番組に係るテレビ放送信号の中から、制御部２００による選局指示信号に応じたテレビ放送信号を選局し、この選局したテレビ放送信号を復調部１３Ａに供給するようになされる。復調部１３Ａはこれに供給されたテレビ放送信号を復調して、復調後の信号（テレビ番組の信号）をスイッチ回路１４Ａの入力端ａに供給する。
【００６８】
スイッチ回路１４Ａは制御部２００からの切り換え制御信号により切り換え制御され、復調部１３Ａから入力端ａに供給されるテレビ番組の信号を出力するのか、あるいは、制御部２００から入力端ｂに供給される信号を出力するのかを切り換える。なお、制御部２００からスイッチ回路１４Ａに供給される信号は受信処理手段Ｒ１と同様である。このスイッチ回路１４Ａは当該受信処理手段Ｒ２を静止画映像専用に受信するように機能させる場合は省略してもよい。
【００６９】
また、スイッチ回路１４Ａから出力された信号は圧縮処理部１５Ａに供給される。圧縮処理部１５Ａはこれに供給された信号をＭＰＥＧ方式等によりデータ圧縮する。圧縮処理部１５Ａにおいてデータ圧縮された信号は送信信号形成部１６Ａに供給される。送信信号形成部１６Ａは予め決められた通信プロトコルに準拠した送信信号を形成する。
【００７０】
この実施例においてはＩＥＥＥ８０２．１１方式のプロトコル、あるいはその発展プロトコルに準拠した送信信号Ｓ２を形成する。この送信信号Ｓ２は表示装置１０２の番組表画面の所定の位置に、裏番組に係るサムネイル映像を表示するための信号である。
【００７１】
また、送信信号形成部１１６において形成された送信信号Ｓ１及び送信信号形成部１１６Ａにおいて形成された送信信号Ｓ２は、無線手段の一例となる送受信無線部１１７の送信処理部１１７Ｓに供給される。送受信無線部１１７は共用部１１７Ｋ、送信処理部１１７Ｓ及び受信処理部１１７Ｒを有している。送信処理部１１７Ｓは制御部２００からの制御信号に応じて、番組動画映像に係る送信信号Ｓ１及び静止画映像に係る送信信号Ｓ２の変調処理や増幅処理を行う。送信処理部１１７Ｓにおいて処理された送信信号は共用部１１７Ｋ、アンテナ１１８を通じて無線送信される（エアボードネット）。
【００７２】
共用部１１７Ｋは送信信号と受信信号とが干渉し合うことを防止するものである。すなわち、この選局装置１０１では前述したように、表示装置１０２から無線送信される指示情報などをアンテナ１１８を通じて受信することができるように構成されたものである。そこで、共用部１１７Ｋは送信処理部１１７Ｓからの送信信号が、アンテナ１１８を通じて受信される受信信号に対して干渉することがないようにしている。
【００７３】
そして、アンテナ１１８を通じて受信した表示装置１０２からの例えば選局指示などの信号は共用部１１７Ｋを通じて受信処理部１１７Ｒに供給される。受信処理部１１７Ｒはこれに供給された信号を復調するなどの処理を行って、制御部２００が扱える信号にし、この信号を制御部２００に供給する。
【００７４】
制御部２００は受信処理部１１７Ｒからの信号が、選局指示などの指示信号であるときにはその指示信号に応じて各部を制御する。したがって、受信処理部１１７Ｒから制御部２００に供給された信号が、選局指示であった場合には制御部２００は供給された選局指示に応じた選局指示信号を選局部１１２に供給し、選局するテレビ放送信号を切り換えることができるようにされている。
【００７５】
また、受信処理部１１７Ｒから制御部２００に供給された信号が、電子メールなどの送信情報であった場合には制御部２００は後述もするように、モデム部２１０および電話線Ｌを通じて、電話回線を接続し、送信情報を接続した電話回線に送出して、目的とする相手先に送信する。
【００７６】
モデム部２１０は図４に示すように、インターフェース（図４においてはＩ／Ｆと記載）部２１１と、通信部２１２とからなっている。Ｉ／Ｆ部２１１は相手先と選局装置１０１との間に電話網を通じて接続される通信回線と、この選局装置１０１との間のインターフェースであり、電話回線（電話線Ｌ）を通じて送信されてくる信号を受信したり、選局装置１０１からの信号を送信したりする。
【００７７】
通信部２１２はＩ／Ｆ回路２１１を通じて受信した信号を復調して、これを制御部２００に供給したり、制御部２００からの送信信号を変調して、これをＩ／Ｆ回路２１１に供給する。これにより、電話回線が接続された相手先との間で、各種のデータの送受を行うことができるようにされる。
【００７８】
したがって、前述したように、この選局装置１０１ではモデム部２１０、電話線Ｌ、および、所定のＩＳＰ（ＩｎｔｅｒｎｅｔＳｅｒｖｉｃｅＰｒｏｖｉｄｅｒ）を通じてインターネット１０５に接続し、インターネット１０５を通じて各種の情報の提供を受けるようになされる。この例で情報配信系ＩＩに対して地上波テレビ放送の番組表情報の配信を要求し、情報配信系ＩＩから番組表情報をダウンロードするようになされる。この他に、電子メールを受信したり送信したり、あるいはチャットをできるようになされる。
【００７９】
このため、制御部２００はモデム部２１０を制御して、オフフックしたりオンフックするなどのことができるとともに、オフフックするようにモデム部２１０を制御したときにはダイヤル信号を電話線Ｌに送出するようにするいわゆるダイヤラとしての機能なども備えたものである。情報配信系ＩＩに対して番組表情報等の配信要求することができる。
【００８０】
なお、図４において、制御部２００には電源のオン／オフキーや各種の設定キーが設けられたキー入力部２１５が接続されており、選局装置１０１の主電源のオン／オフや、各種の設定入力が、このキー入力部２１５を通じて行うことができるようにされている。
【００８１】
このように、選局装置１０１では選局指示され番組動画映像及び、裏番組に係る静止画映像を表示するためのテレビ放送信号を受信して復調し、この復調したこれらのテレビ放送番組の信号をデータ圧縮して、所定の通信プロトコルにしたがって無線送信することができるものである。また、電話回線を通じて提供される番組表情報等のネットワーク情報を受信して復調し、これをテレビ放送信号の場合と同様に、データ圧縮して、所定の通信プロトコルにしたがって無線送信することができるものである。
【００８２】
更にまた、選局装置１０１は後述する表示装置１０２から無線送信されてくる選局指示などの指示情報やＡＶ機器を遠隔操作するための遠隔操作情報を受信し、その情報に応じた処理を行ったり、表示装置１０２から送信されてくる電子メールなどの送信情報を、モデム部２１０を通じて送信することができるものである。
【００８３】
なお、制御部２００で番組表画面に対する親画面及び子画面の大きさ又は／及び位置に関する命令体系を情報配信系ＩＩに登録し、情報配信系ＩＩから命令体系を含めた電子情報内容を受信するようにしてもよい。
【００８４】
［表示装置］
図５は表示装置１０２の内部構成例を示すブロック図である。この表示装置１０２は携帯端末表示装置を構成し、前述した選局装置１０１と無線接続されるものである。そして、ＡＶ機器等を遠隔制御するユーザインターフェースとしてのリモコン機能を有している。表示装置１０２はＣＰＵ３０１、ＲＯＭ３０２、ＲＡＭ３０３及び、ＥＥＰＲＯＭ３０４をＣＰＵバス３０５を通じて接続して構成されたマイクロコンピュータの制御部３００によって各部を制御するようにされる。
【００８５】
制御部３００は例えば、情報処理系Ｉと情報配信系ＩＩとの間で当該電子情報内容の表示画面に関して、動画表示領域や静止画表示領域等の表示位置が予め取り決めされていることを前提にして、親画面及び子画面の大きさ又は／及び位置に基づいて番組表画面内で親画面領域及び複数の子画面領域を設定し、親画面領域には番組動画映像を表示し、子画面領域には静止画映像を表示するようにＬＣＤ１２５を制御する。
【００８６】
この他に、制御部３００によって例えば、選局情報に基づいて親画面領域に表示された番組映像内容と、子画面領域に表示された番組映像内容とを入れ替えるようにＬＣＤ１２５を制御してもよい。選局情報はタッチパネル３５１におけるチャンネル選択操作によって発生し、選局装置１０１へ出力される。
【００８７】
ＣＰＵバス３０５にはこの制御部３００の他に、送受信無線部１２２、伸長処理部１２３、送信信号形成部１２８、キー入力部３２９及びタッチパネル３５１が接続されている。送受信無線部１２２は共用部１２２Ｋ、送信処理部１２２Ｓ及び受信処理部１２２Ｒを有している。伸長処理部１２３には画像信号処理部１２４及び音声信号処理部１２６が接続されている。
【００８８】
ＣＰＵバス３０５に接続されたＲＯＭ３０２にはこの表示装置１０２において実行する各種の処理プログラムや処理に必要なデータなどが記録されたものである。ＲＡＭ３０３は各種の処理において得られたデータを一時的に記憶保持するなどのように、主に各種の処理の作業領域として用いられるものである。
【００８９】
ＥＥＰＲＯＭ３０４はいわゆる不揮発性のメモリであり、電源が落とされても、記憶保持した情報が失われることがなく、例えば、各種の設定パラメータや、作成した電子メールや受信した電子メール、チャットの内容（テキストデータ）などを記憶保持することができるものである。
【００９０】
このＥＥＰＲＯＭ３０４にはテキストデータ等を記憶する他に、サーバ１０６から配信された番組表情報を格納するようになされる。この番組表情報は選択装置１０１から無線転送される。これにより、新たに追加された番組表情報等も容易にＥＥＰＲＯＭ３０４で更新することができる。
【００９１】
この実施例で選局装置１０１からの無線信号を受信する場合に、表示装置１０２は次のように動作する。選局装置１０１からの所定の通信プロトコルに準拠した無線信号は、図５に示す送受信用のアンテナ１２１により受信され、共用部１２２Ｋを通じて受信処理部１２２Ｒに供給される。受信処理部１２２Ｒはこれに供給された信号を復調するなどの処理を行って、復調後の信号を伸長処理部１２３に供給する。
【００９２】
前述したように、選局装置１０１と表示装置１０２との間で無線通信処理がなされ、選局装置１０１では無線送信する信号がデータ圧縮して送信されてくるので、表示装置１０２の伸長処理部１２３は選局装置１０１からの変調された信号を伸長して元の信号を復元する。そして、復元した信号が例えば、テレビ放送番組の信号である場合においては、復元された信号は、番組表情報、選局指示した番組動画映像及び、裏番組に係る静止画映像に係る画像信号と音声信号とからなっているので、画像信号は画像信号処理部１２４に供給され、音声信号は音声信号処理部１２６に供給される。
【００９３】
画像信号処理部１２４は伸長処理部１２３からの画像信号に基づいて、番組表情報、番組動画映像及び裏番組に係る静止画映像を表示する信号を形成する。このとき、電子情報内容を構成する番組表中でブランクとなっている動画表示領域に、テレビ動画映像を貼り付けるように画像信号を編集して合成し、同様にして静止画表示領域に静止画映像を貼り付けるように編集して合成する。
【００９４】
この編集合成後の画像信号を表示手段の一例となるタッチパネル方式のＬＣＤ１２５に供給する。このＬＣＤ１２５には入力手段の一例となるタッチパネル３５１が備えられる。これにより、ＬＣＤ１２５では、表示情報を結合し連動させた合成映像の一例となる、選局装置１０１によってサーバ１０６から受信された番組表情報に基づいて番組表画面を表示すると共に、その番組表画面中、予め設定された動画像表示領域に選局装置１０１で取得したテレビ動画映像を表示し、静止画表示領域にその裏番組に係る静止画映像を表示する。
【００９５】
従って、番組表に組み入れられたテレビ動画映像及び、その裏番組に係る静止画映像を同一画面上で視ることができる。表示装置１０２でユーザ独自の固有番組表画面等を構築することができる。この番組表画面は、選局装置１０１の配信要求機能によって情報配信系ＩＩからダウンロードされた番組表情報に基づく「ＭＹ番組表」や、「ａｉｒｂｏテレビ」等である。これらの「ＭＹ番組表」や、「ａｉｒｂｏテレビ」の画面でタッチパネル３５１の入力操作機能を利用してチャンネルが切り換えられる。
【００９６】
一方、音声信号処理部１２６はこれに供給された音声信号からスピーカ１２７に供給する音声信号を形成し、これをスピーカ１２７に供給する。スピーカ１２７は音声信号処理部１２６に接続されている。これにより、スピーカ１２７からは選局装置１０１から無線送信されてきた音声信号に応じた音声が放音される。
【００９７】
このように、表示装置１０２は選局装置１０１から無線送信されてくるテレビ放送番組などの信号を受信して、その受信した信号の画像信号や音声信号を再生して出力することにより、使用者に提供することができるものである。この機能に加えて、ＬＣＤ１２５の表示画面上で「リモコン」が構築され、この遠隔操作画面によるリモコンキーの入力操作によって選択部（チューナー）１１２や１２Ａ等の選択情報を含む遠隔操作情報を選択装置１０１へ出力するようになされる。
【００９８】
この実施例ではユーザがタッチパネル３５１を操作し、図６で説明するような例えば、テレビ操作に係るメニュー画面であるトップページ画面２４でチャンネルキーをタッチ操作すると、選局情報がＣＰＵ３０１の制御を受けて送信処理部１２２Ｓ、共用部１２番組表情報配信処理システム２における処理例２Ｋを介して、アンテナ１２１から、電波で、選局装置１０１に送信される。
【００９９】
この他に、サーバ１０６に番組表情報（電子番組ガイド）の配信要求するときは、このトップページ画面２４で例えば、［ＭＯＮＥＸ］キーをタッチすると、この指令に基づき、表示装置１０２のＣＰＵ３０１は送信処理部１２２Ｓ、共用部１２２Ｋを介して、アンテナ１２１から、電波で、選局装置１０１を介在して所定のサーバ１０６をアクセスするようになされる。
【０１００】
この配信要求は選局装置１０１のアンテナ１１８から、共用部１１７Ｋ、受信処理部１１７Ｒを介して、ＣＰＵ２０１に伝達される。そこで、ＣＰＵ２０１は通信部２１２を制御し、Ｉ／Ｆ２１１を介して、所定のＩＳＰに接続させ、そこから、インターネット１０５を介して所定のサーバ１０６にさらに接続させる。そしてそのサーバ１０６から、番組表情報等のデータの配信を受ける。ＣＰＵ２０１はＩ／Ｆ２１１および通信部２１２を介してそのサーバ１０６から番組表情報等のデータを受信すると、これをＲＡＭ２０３に供給し、一旦、記憶させる。
【０１０１】
さらに、ＣＰＵ２０１はＲＡＭ２０３に記憶された番組表情報等の画像データを送信信号形成部１１６に供給し、送信信号を形成させる。この送信信号形成部１１６により形成された送信信号は送信処理部１１７Ｓ、共用部１１７Ｋからアンテナ１１８を介して、電波で表示装置１０２に出力される。
【０１０２】
表示装置１０２においては送受信用のアンテナ１２１を介してこの電波が受信され、共用部１２２Ｋ、受信処理部１２２Ｒを介して、伸長処理部１２３に供給される。伸長処理部１２３は受信処理部１２２Ｒより供給された番組表情報等の画像データを伸長処理した後、ＥＥＰＲＯＭ３０４に記憶させる。
【０１０３】
さらに、ユーザがタッチパネル３５１を操作して、トップページ画面２４で「ａｉｒｂｏ」キーＫ４の選択を指令すると、ＣＰＵ３０１はＥＥＰＲＯＭ３０４に記憶された番組表情報をそこから読み出すと、それを伸長処理部１２３に供給し、そこから、画像信号処理部１２４に供給し、所定の処理を行わせた後、ＬＣＤ１２５に出力し、「ａｉｒｂｏテレビ」の番組表等を表示するようになされる。
【０１０４】
なお、情報処理系Ｉと情報配信系ＩＩとの間で当該電子情報内容の表示画面に関して、動画表示領域や静止画表示領域等の表示位置が予め取り決められていない場合は、タッチパネル３５１を使用して番組表画面に対する親画面及び子画面の大きさ又は／及び位置をＷｅｂサイトのサーバ１０６へ登録するようにしてもよい。
【０１０５】
このときは、当該情報処理装置１０３で適用するテレビダグをＳＧＭＬや、ＨＴＭＬ，ＸＭＬ等のハイパーテキスト構造をもった文書を作成するという目的のために開発されたマークアップ言語により記述するようになされる。例えば、テレビダグとして＜受信チャンネル，動画像表示領域の位置及び大きさ，静止画像表示領域の位置及び大きさ＞をテキスト形式のファイルで情報提供事業者のサーバ１０６へ登録するようになされる。サーバ１０６から情報処理装置１０３へ配信される電子情報内容に対する命令体系を確立するためである。
【０１０６】
続いて、ＬＣＤ１２５におけるトップページ画面２４の表示例について説明をする。図６はＬＣＤ１２５におけるトップページ画面２４の表示例を示すイメージ図である。
図６に示すトップページ画面（メニュー画面；エアボード画面）２４のウインドウ２０には上部表示部２１、下部表示部２２及びコンテンツ表示部２３が割り当てられている。
【０１０７】
上部表示部２１には「インターネット」の文字や、Ｗｅｂサイトのアドレスが表示され、この上部表示部２１の右端には、細長い楕円形状のアイコンから成る、「子画面入」キーＫ１が設けられている。ＬＣＤ１２５のウインドウ２０内に子画面を表示できるようになされている。
【０１０８】
コンテンツ表示部２３で左側の表示領域Ａ（Ａ：Ｂ＝３：２程度）には、「ａｉｒ　ｂｏａｒｄ　ｎｅｔ；エアボードネット」の名称が表示される。この名称の下方には円形状のアイコンから成る、「チャット広場」選択ボタンＫ２、「掲示板］選択ボタンＫ３、「ａｉｒｂｏテレビ」選択ボタンＫ４、「ＭＹ番組表」選択ボタンＫ５、「ＭＹメニュー」選択ボタンＫ６、「ＭＹカレンダー」選択ボタンＫ７が設けられている。
【０１０９】
これらの選択ボタンＫ２〜Ｋ７の下方には、細長い楕円形状のアイコンから成る、「テレビを楽しむ」キーＫ８、「ニュースを見る」キーＫ９、「エンターテイメント」キーＫ１０、「生活に役立つ」キーＫ１１、「ビジネスに役立つ」キーＫ１２、「マネー」キーＫ１３、「検索する」キーＫ１４、「会員以外の方」キーＫ１５等が備えられている。
【０１１０】
このコンテンツ表示部２３は「ａｉｒｂｏテレビ」選択ボタンＫ４や、「ＭＹ番組表」選択ボタンＫ５がタッチされたときに、動画画表示領域及び静止画表示領域として使用される。「ＭＹ番組表」が選択されたときは、コンテンツ表示部２３に電子番組ガイド、テレビ動画映像、及び裏番組に係る静止画映像が表示される。
【０１１１】
また、図６に示したトップページ画面２４で「ａｉｒｂｏテレビ」が選択されたときは、コンテンツ表示部２３の左側の表示領域Ａにテレビ動画映像が表示され、その右側の表示領域Ｂ中に裏番組に係る複数の静止画映像が表示される。
【０１１２】
このコンテンツ表示部２３で右側の表示領域Ｂにはユーザへのメッセージや、年月日、曜日等の暦情報、メモ等が表示されている。この表示領域には細長い楕円形状のアイコンから成る、「お客様ツール」キーＫ１６が設けられている。
【０１１３】
また、下部表示部２２には戻るキーＫ１７、進むキーＫ１８、ホームキーＫ１９、更新キーＫ２０、マークキーＫ２１、履歴キーＫ２２、及び文字を大するキーＫ２３が表示されている。なお、表示装置１０２のウインドウ２０の外部にはインデックスキー５５が設けられている。この図６に示すトップページ画面２４でインデックスキー５５を押下すると、当該トップページ画面２４上に重ねてインデックス画面２５が表示される。
【０１１４】
図７はトップページ画面２４上のインデックス画面２５の表示例を示すイメージ図である。図７に示すインデックス画面２５には当該情報処理装置１０３で利用可能な機能として、例えば、１７項目の機能チャンネルの選択キーＫ３１〜Ｋ４７を表示するようになされる。選択キーＫ３１は第１チャンネル（ＫＨＮ総合）を選択する際にタッチされる。選択キーＫ３２は第３チャンネル（ＫＨＮ教育）を選択する際にタッチされる。
【０１１５】
選択キーＫ３３は第４チャンネル（ＪＰＮテレビ）を選択する際にタッチされる。選択キーＫ３４は第６チャンネル（ＴＴＳ）を選択する際にタッチされる。選択キーＫ３５は第８チャンネル（扶桑テレビ）を選択する際にタッチされる。選択キーＫ３６は第１０チャンネル（テレビ夕日）を選択する際にタッチされる。選択キーＫ３７は第１２チャンネル（テレビ東）を選択する際にタッチされる。
【０１１６】
また、選択キーＫ３８はビデオ１を選択する際にタッチされる。選択キーＫ３９はビデオ２を選択する際にタッチされる。選択キーＫ４０はインターネットを選択する際にタッチされる。選択キーＫ４１はメールチャネルを選択する際にタッチされる。選択キーＫ４２はアルバムチャンネルを選択する際にタッチされる。
【０１１７】
選択キーＫ４３はＷｅｂサイトへのジャンプを選択する際にタッチされる。選択キーＫ４４はＩＴＳＣＯＭ（その他の処理）を選択する際にタッチされる。選択キーＫ４５はマネーチャネルを選択する際にタッチされる。選択キーＫ４６は番組表を選択する際にタッチされる。選択キーＫ４７はＡｉｒｂｏテレビを選択する際にタッチされる。なお、インデックス画面２５の右下方には設定キーＫ４６が設けられ、ユーザが好むチャンネルを設定する際にタッチされる。また、図６に比べて下部表示部２２には保存一覧キーＫ２４が表示される。インデックス画面で選択された操作情報をメモリ等に保存するために使用される。
【０１１８】
［第１の実施例］
図８は本発明に係る第１の実施例としてのＬＣＤ１２５における表示領域例を示すイメージ図である。図８に示すＬＣＤ１２５に係るウインドウ２０における表示領域例によれば、上部表示部２１と下部表示部２２との間にコンテンツ表示部２３が割り当てられている。これは前にも述べた通りである。
【０１１９】
このコンテンツ表示部２３で、例えば、「ＭＹ番組表」に係る電子情報内容を表示する場合には、動画表示領域Ｐｍ、静止画表示領域Ｐｓ及び電子番組ガイド表示領域Ｐｃの表示位置や、その大きさ等が予め割り当てられる。動画表示領域Ｐｍ及び静止画表示領域Ｐｓの合計表示領域は例えば、コンテンツ表示部２３における上部位置であって、そのほぼ上方部分を占めるように割り当てられ、動画表示領域Ｐｍは静止画表示領域Ｐｓに対して左端位置であって、ほぼ左端部分を占めるように割り当てられる。
【０１２０】
もちろん、これらの位置及び比率に限られることはない。この動画表示領域Ｐｍ及び静止画表示領域Ｐｓの表示位置や大きさ等は当該システム構築時に情報処理系Ｉと情報配信系ＩＩの間で取り決めればよい。静止画表示領域Ｐｓは更に複数のサムネイル表示領域に分割される。この例では静止画表示領域Ｐｓが例えば、６つに分割され、裏番組に係る静止画映像（サムネイル画面）を表示するようになされる。
【０１２１】
図９はＭＹ番組表画面２６の表示例を示すイメージ図である。ＭＹ番組表画面２６は図８に示した動画表示領域Ｐｍ、静止画表示領域Ｐｓ及び電子番組ガイド表示領域Ｐｃに、各々の映像を当てはめた例を示すものである。
【０１２２】
図９に示すＬＣＤ１２５のウインドウ２０における表示例によれば、図７に示したトップページ画面２４で「ＭＹ番組表」選択キーＫ５をタッチし、その後、図７に示したインデックス画面で「番組表」選択キーＫ４６をタッチすると共に、例えば、第１チャンネルを選択することにより視られる合成映像である。
【０１２３】
この表示例によれば、上部表示部２１には「ＭＹ番組表」に係る映像と共に、「番組表」選択キーＫ５、「ａｉｒｂｏテレビ」選択キーＫ４、「今日のみどころ」選択キーＫ、「設定」キーＫ４８、「検索」キーＫ１４、「表示板」選択キーＫ３、「チャット」選択キーＫ２、「ＴＯＰ」選択キーＫ０等が表示される。「ＴＯＰ」選択キーＫ０はＭＹ番組表画面２６から図６に示したトップページ画面２４に戻る際にタッチされる。また、「番組表」選択キーＫ５はＭＹ番組表画面２６が選択されていることから、例えば、ホーム表示色の水色から黄緑の動作表示に切り替えられている。
【０１２４】
上部表示部２１の下方に位置するコンテンツ表示部２３の動画表示領域Ｐｍには第１チャンネルのＫＨＮ総合で現在放送されている、例えば、スキューバダイビング中の女性モデルに係るテレビ動画映像が表示される。このテレビ動画映像の下方には第１チャンネルに係る当該放送日の放送時間と共に、ＫＨＮ総合放送の番組表が表示されている。
【０１２５】
この動画表示領域Ｐｍの右隣りにはＫＨＮ総合放送の裏番組に係る、第３、第４、第６、第８、第１０及び第１２チャンネル等の複数のサムネイル（静止画）映像が横方向に順次並べて表示されている。これらのサムネイル映像は例えば３秒乃至５秒間隔で表示が切り替わるようになされる。また、第１チャンネルと同様にして第３チャンネルのサムネイル映像の下方にはＫＨＮ教育放送の番組表が表示され、第４チャンネルのサムネイル映像の下方にはＪＰＮテレビ放送の番組表が表示されている。
【０１２６】
同様にして、第６チャンネルのサムネイル映像の下方にはＴＴＳ放送の番組表が表示され、第８チャンネルのサムネイル映像の下方には扶桑テレビ放送の番組表が表示され、第１０チャンネルのサムネイル映像の下方にはテレビ夕日放送の番組表が表示され、第１２チャンネルのサムネイル映像の下方にはテレビ東放送の番組表が表示されている。これにより、第１、第３、第４、第６、第８、第１０及び第１２チャンネル等の番組表と共に、第１チャンネルのテレビ動画映像や、その裏番組に係る６つのサムネイル映像を結合し連動させた合成映像を同一ウインドウ２０上で視ることができる。
【０１２７】
続いて、第１の実施例に係る情報処理方法について説明をする。図１０及び図１１は第１の実施例としての番組表情報配信処理システム２における処理例（その１、２）を示すフローチャートである。
【０１２８】
この実施例では任意の電子情報内容を配信し処理する場合であって、情報配信系ＩＩであるサーバ１０６から情報処理系Ｉである選局装置１０１へＭＹ番組表画面２６に係るアプリケーション（番組表情報）を配信する場合を前提とする。ＭＹ番組表画面２６に係るアプリケーションにおいては、図８に示したように選局装置１０１とサーバ１０６との間で動画表示領域Ｐｍや静止画表示領域Ｐｓ等の表示位置が予め登録されている場合を前提とする。
【０１２９】
これを前提して、図１０に示すフローチャートのステップＢ１で、まず、当該情報処理装置１０３の電源をオンした後に、ステップＢ２で図６に示したようなトップページ画面２４をＬＣＤ１２５のウインドウ２０に表示する。
【０１３０】
そして、ステップＢ３に移行してインデックスボタン５５が押下された否かによって表示制御が分岐する。インデックスボタン５５は表示装置１０２のウインドウ２０の外部に設けられている。インデックスボタン５５が押下された場合はステップＢ４に移行する。ステップＢ４ではＬＣＤ１２５のウインドウ２０にインデックス画面２５が表示される。
【０１３１】
その後、ステップＢ５に移行してインデックス画面２５内でテレビに関するキーがタッチされた否かによって表示制御が分岐する。テレビに関するいずれかのキーが押下された場合はステップＢ６に移行する。ステップＢ６では番組表情報を配信するサーバ１０６と、当該番組表情報を情報処理する情報処理処置１０３の選局装置１０１とがインターネット１０５を通じて接続される。そして、ステップＢ７で選局装置１０１からサーバ１０６へ、地上波テレビ放送のＭＹ番組表画面２６に係る番組表情報の配信が要求される。この配信要求は情報処理装置１０３を構成する表示装置１０２によりなされる。
【０１３２】
そして、ステップＢ８で選局装置１０１はサーバ１０６から所定の命令体系を含めたＭＹ番組表画面２６に係る番組表情報をダウンロード（受信）する。選局装置１０１ではサーバ１０６から受信したＭＹ番組表画面２６に係る番組表情報を例えば、選局装置１０１内蔵のＥＥＰＲＯＭ２０４に一時格納するようになされる。番組表情報の格納後はインターネット１０５への接続が「断」される。
【０１３３】
その後、ステップＢ９で表示装置１０２ではチャンネルが選局された否かによって表示制御が分岐する。ユーザによって「チャンネル」選局キーＫ２〜Ｋ７等の中で「ＭＹ番組表」キーＫ５がタッチされた場合は、図１１にフローチャートのステップＢ１０に移行してＭＹ番組表画面２６に係る番組表情報を読み出す。所定の命令体系に基づいて編集合成処理するためである。その後、ステップＢ１１で選局装置１０１では地上波テレビ放送によるテレビ動画映像を受信する。このとき、選局装置１０１では、受信処理手段Ｒ１によって当該チャンネルのテレビ動画映像が受信され取得される。
【０１３４】
また、ステップＢ１２では選局装置１０１によって裏番組に係る静止画映像が受信される。このとき、受信処理手段Ｒ２では例えば、３秒間に１回の割合でチャンネル選局を巡回動作させることによって複数の裏番組が取得される。そして、ステップＢ１３に移行してサーバ１０６からのＭＹ番組表画面２６と、選局装置１０１で取得したテレビ動画映像と、裏番組に係る静止画映像（サムネイル映像）とが所定の命令体系（アプリケーション）に基づいて編集され合成処理するようになされる。
【０１３５】
このとき、図８に示したＭＹ番組表画面２６の動画表示領域Ｐｍに、図４に示した受信処理手段Ｒ１で選局受信したテレビ動画映像を当てはめるように編集される。また、その画面の静止画表示領域Ｐｓには同様に示した受信処理手段Ｒ２でチャンネル選局巡回動作させることによって取得した裏番組に係る複数のサムネイル映像を当てはめるように編集される。
【０１３６】
そして、ステップＢ１４で編集合成後のＭＹ番組表画面２６に係る合成映像をＬＣＤ１２５の同一画面上で表示するようになされる。このとき、例えば、図９に示したように、動画表示領域Ｐｍには第１チャンネルのＫＨＮ総合で現在放送されている、例えば、スキューバダイビング中の女性モデルに係るテレビ動画映像が表示される。このテレビ動画映像の下方には第１チャンネルに係る当該放送日の放送時間と共に、ＫＨＮ総合放送の番組表が表示されている。
【０１３７】
また、静止画表示領域Ｐｓには第３、第４、第６、第８、第１０及び第１２チャンネル等の複数のサムネイル（静止画）映像が横方向に順次並べて表示される。これらのサムネイル映像の下方には各々の番組表が表示される。これにより、第１、第３、第４、第６、第８、第１０及び第１２チャンネル等の番組表と共に、第１チャンネルのテレビ動画映像や、その裏番組に係る６つのサムネイル映像を結合し連動させた合成映像を同一ウインドウ２０上で視ることができる。
【０１３８】
そして、ステップＢ１５に移行して他のキーが押下（タッチ）されたかを判別する。他のキーが押下されてない場合はステップＢ１４の同一画面上の表示処理を継続する。他のキーが押下された場合はステップＢ１６に移行する。その押下はチャンネル切換か、または、他のテレビに関するキーかが判別される。チャンネルが切り換えられた場合はステップＢ１１に戻って、その切り換えられたチャンネルのテレビ動画映像を受信し取得するようになされる。そのテレビ動画映像を動画表示領域Ｐｍに表示するためである。
【０１３９】
従って、先のチャンネルから他のチャンネルに切り換えられた場合は、ステップＢ１３で先のテレビ動画映像を静止画情報表示領域Ｐｍでサムネイル映像によって表示するように編集され、今回のチャンネル切り換えによって、先に静止画表示領域Ｐｓに表示されていたチャンネルの静止画映像を今度は動画表示領域Ｐｍでテレビ動画映像によって表示するような編集がなされる。
【０１４０】
そして、ステップＢ１４で編集合成後のＭＹ番組表画面２６に係る合成映像をＬＣＤ１２５の同一画面上で表示するようになされる。また、ステップＢ１５で他のキーが押下された場合であって、ステップＢ１６でチャネル切り換えでもない場合は、ステップＢ１７に移行してテレビに関するキーであるかが判別される。テレビに関するキーである場合は図１０に示すフローチャートのステップＢ５に戻ってテレビに関するどのキーが押下されたかが判別される。このとき、テレビに関するキーの入力が押下されたような場合はステップＢ２０に移行して他の処理を実行する。
【０１４１】
更に、ステップＢ１５で他のキーが押下された場合であって、ステップＢ１６のチャネル切り換えでもなく、ステップＢ１７のテレビに関するキーのいずれにも該当しない場合はステップＢ１８に移行してインデックス画面２５に戻るかが判別される。インデックス画面２５に戻る場合は「戻る」キーＫ１７等が押下されることから、ステップＢ４に戻ってＬＣＤ１２５にインデックス画面２５を表示する。インデックス画面２５に戻らない場合はステップＢ２９に移行する。
【０１４２】
なお、ステップＢ３でインデックスボタン５５が押下されない場合、ステップＢ５でテレビに関するキーが押下されない場合は及び、ステップＢ９でチャンネルが選局されない場合は、図１１のステップＢ１９にジャンプして他の処理を実行する。その後、ステップＢ２０に移行する。
【０１４３】
このステップＢ２０では当該ＭＹ番組表画面２６を終了して他の表示処理をするか判別される。他の表示処理をする場合は「ＴＯＰ」キーＫ０がタッチされることから、ステップＢ２に戻ってトップページ画面２４を表示した後に、上述した処理を繰り返される。この表示処理を終了する場合、例えば、電源オフ情報を検出してＭＹ番組表画面２６に係る表示処理を終了する。
【０１４４】
このように、本発明に係る第１の実施例としての番組表情報配信処理システム２によれば、サーバ１０６からＭＹ番組表画面２６に係る番組表情報を受信して映像表示処理する場合に、ステップＢ１３でサーバ１０６からのＭＹ番組表画面２６と、選局装置１０１で取得したテレビ動画映像と、裏番組に係る静止画映像（サムネイル映像）とが所定の命令体系（アプリケーション）に基づいて編集され合成処理するようになされる。
【０１４５】
従って、サーバ１０６から受信したＭＹ番組表画面２６に係る番組表情報に、選択装置１０１で取得したテレビ動画映像やその裏番組に係るサムネイル映像等を結合し連動させた合成映像をＬＣＤ１２５の同一ウインドウ２０上で視ることができる。これにより、当該ＬＣＤ１２５で非常に見やすいユーザ独自のＭＹ番組表画面２６を再現性良く構築することができる。
【０１４６】
［第２の実施例］
図１２は本発明に係る第２の実施例としてのＬＣＤ１２５における表示領域例を示すイメージ図である。図１２に示すＬＣＤ１２５に係るウインドウ２０における表示領域例によれば、上部表示部２１と下部表示部２２との間にコンテンツ表示部２３が割り当てられている。これは前にも述べた通りである。
【０１４７】
このコンテンツ表示部２３で、例えば、「ａｉｒｂｏテレビ」に係る電子情報内容を表示する場合には、第１の実施例と異なる表示位置やその大きさ等により動画表示領域Ｐｍ’、静止画表示領域Ｐｓ’及び電子番組ガイド表示領域Ｐｃ’が予め割り当てられている。
【０１４８】
この例で親画面を構成する動画表示領域Ｐｍ’は、コンテンツ表示部２３の表示領域Ａを占めるように割り当てられている。電子番組ガイド表示領域Ｐｃ’はコンテンツ表示部２３であって、動画表示領域Ｐｍ’の右隣りの表示領域Ｂに割り当てられている。子画面を構成する静止画表示領域Ｐｓ’は表示領域Ｂ内に割り当てられている。この静止画表示領域Ｐｓ’と動画表示領域Ｐｍ’との間の電子番組ガイド表示領域Ｐｃ’には、第１の実施例のような番組表示容量が割り当てられない。これはサムネイル映像に対応したその放送番組のタイトル又は放送内容の特徴等を表示するためである。もちろん、これらの位置及び大きさ等に限られることはない。
【０１４９】
第１の実施例と同様にして動画表示領域Ｐｍ’及び静止画表示領域Ｐｓ’の表示位置や大きさ等は、当該システム構築時に選局装置１０１とサーバ１０６の間で取り決めればよい。静止画表示領域Ｐｓ’は更に複数のサムネイル表示領域に分割される。この例では静止画表示領域Ｐｓ’が第１の実施例と同様にして６つに分割され、裏番組に係る静止画映像（サムネイル画面）を表示するようになされる。
【０１５０】
図１３はａｉｒｂｏテレビ画面２７の表示例を示すイメージ図である。このａｉｒｂｏテレビ画面２７は図１２に示した動画表示領域Ｐｍ’、静止画表示領域Ｐｓ’及び電子番組ガイド表示領域Ｐｃ’に、各々の映像を当てはめた例を示している。
【０１５１】
図１３に示すＬＣＤ１２５のウインドウ２０における表示例によれば、上部表示部２１には「ａｉｒｂｏテレビ」に係る映像と共に、「番組表」選択キーＫ５、「ａｉｒｂｏテレビ」選択キーＫ４、「今日のみどころ」選択キーＫ、「設定」キーＫ、「検索」キーＫ１４、「表示板」選択キーＫ３、「チャット」選択キーＫ２、「ＴＯＰ」選択キーＫ０等が表示される。「ａｉｒｂｏテレビ」選択キーＫ４は「ａｉｒｂｏテレビ」が選択されていることから、ホーム表示色の水色から黄緑の動作表示に切り替えられている。
【０１５２】
上部表示部２１の下方に位置するコンテンツ表示部２３の動画表示領域Ｐｍ’には第１チャンネルのＫＨＮ総合で現在放送されている、例えば、スキューバダイビング中の女性モデルに係るテレビ動画映像が表示される。このテレビ動画映像の右側には第１チャンネルに係るＫＨＮ総合放送の番組タイトルが表示される。この番組タイトルの右隣には第１チャンネルに係るサムネイル映像が表示される。
【０１５３】
このサムネイル映像に代えて、動画表示領域Ｐｍ’に表示されているテレビ動画映像を縮小した動画映像をここに表示してもよい。このサムネイル映像の右隣りには第１チャンネルの選局キーＫ３１が表示される。第１チャンネルの選局キーＫ３１は第１チャンネルが選択されていることから、ホーム表示色の水色から黄緑の動作表示に切り替えられている。
【０１５４】
この第１チャンネルに係るサムネイル映像の下隣りにはＫＨＮ総合放送の裏番組に係る、第３、第４、第６、第８、第１０及び第１２チャンネル等の複数のサムネイル（静止画）映像が縦方向に順次並べて表示されている。これらのサムネイル映像は第１の実施例と同様にして３秒乃至５秒間隔で表示が切り替わるようになされる。また、第１チャンネルと同様にして第３チャンネルのサムネイル映像の左隣りにはＫＨＮ教育放送の番組タイトルが表示される。これと共にサムネイル映像の右隣りには第３チャンネルの選局キーＫ３２が表示される。選択キーＫ３２は第３チャンネルを選択する際にタッチされる。
【０１５５】
第３チャンネルのサムネイル映像の下方には第４チャンネルのサムネイル映像が表示され、その左隣りにはＪＰＮテレビ放送の番組タイトルが表示されている。第４チャンネルのサムネイル映像の右隣りには第４チャンネルの選局キーＫ３３が表示される。選択キーＫ３３は第４チャンネルを選択する際にタッチされる。
【０１５６】
同様にして、第４チャンネルのサムネイル映像の下方には第６チャンネルのサムネイル映像が表示され、その左隣りにはＴＴＳテレビ放送の番組タイトルが表示されている。第６チャンネルのサムネイル映像の右隣りには第６チャンネルの選局キーＫ３４が表示される。選択キーＫ３４は第６チャンネルを選択する際にタッチされる。
【０１５７】
また、第６チャンネルのサムネイル映像の下方には第８チャンネルのサムネイル映像が表示され、その左隣りには扶桑テレビ放送の番組タイトルが表示されている。第８チャンネルのサムネイル映像の右隣りには第８チャンネルの選局キーＫ３５が表示される。選択キーＫ３５は第８チャンネルを選択する際にタッチされる。
【０１５８】
更に、第８チャンネルのサムネイル映像の下方には第１０チャンネルのサムネイル映像が表示され、その左隣りにはテレビ夕日放送の番組タイトルが表示されている。第１０チャンネルのサムネイル映像の右隣りには第１０チャンネルの選局キーＫ３６が表示される。選択キーＫ３６は第１０チャンネルを選択する際にタッチされる。
【０１５９】
また、第１０チャンネルのサムネイル映像の下方には第１２チャンネルのサムネイル映像が表示され、その左隣りにはテレビ東放送の番組タイトルが表示されている。第１２チャンネルのサムネイル映像の右隣りには第１２チャンネルの選局キーＫ３７が表示される。選択キーＫ３７は第１２チャンネルを選択する際にタッチされる。これにより、第１、第３、第４、第６、第８、第１０及び第１２チャンネル等の番組タイトルと共に、第１チャンネルのテレビ動画映像や、その裏番組に係る６つのサムネイル映像を結合し連動させた合成映像を同一ウインドウ２０上で視ることができる。
【０１６０】
続いて、第２の実施例に係る情報処理方法について説明をする。図１４及び図１５は第２の実施例としての番組表情報配信処理システム２における処理例（その１、２）を示すフローチャートである。
【０１６１】
この実施例では任意の電子情報内容を配信し処理する場合であって、サーバ１０６から選局装置１０１へ「ａｉｒｂｏテレビ」に係るアプリケーション（番組表情報）を配信する場合を前提とする。「ａｉｒｂｏテレビ」に係るアプリケーションにおいては、図１２に示したように選局装置１０１とサーバ１０６との間で動画表示領域Ｐｍ’や静止画表示領域Ｐｓ’等の表示位置が予め登録されている場合を前提とする。
【０１６２】
これを前提して、図１４に示すフローチャートのステップＣ１で、まず、当該情報処理装置１０３の電源をオンした後に、ステップＣ２で図６に示したようなトップページ画面２４をＬＣＤ１２５のウインドウ２０に表示する。
【０１６３】
そして、ステップＣ３に移行してインデックスボタン５５が押下された否かによって表示制御が分岐する。インデックスボタン５５が押下された場合はステップＣ４に移行する。ステップＣ４ではＬＣＤ１２５のウインドウ２０にインデックス画面２５が表示される。
【０１６４】
その後、ステップＣ５に移行してインデックス画面２５内でテレビに関するキーがタッチされた否かによって表示制御が分岐する。テレビに関するいずれかのキーが押下された場合はステップＣ６に移行する。ステップＣ６では第１の実施例と同様にしてサーバ１０６と、選局装置１０１とがインターネット１０５を通じて接続される。そして、ステップＣ７で選局装置１０１からサーバ１０６へ、地上波テレビ放送の「ａｉｒｂｏテレビ」に係る番組表情報の配信が要求される。この配信要求は表示装置１０２から選局装置１０１を通じて実行される。
【０１６５】
そして、ステップＣ８で選局装置１０１はサーバ１０６から所定の命令体系を含めた「ａｉｒｂｏテレビ」に係る番組表情報をダウンロード（受信）する。選局装置１０１ではサーバ１０６から受信した「ａｉｒｂｏテレビ」に係る番組表情報を第１の実施例と同様にして、ＥＥＰＲＯＭ２０４等に一時格納するようになされる。番組表情報の格納後はインターネット１０５への接続が「断」される。
【０１６６】
その後、ステップＣ９で表示装置１０２ではチャンネルが選局された否かによって表示制御が分岐する。ユーザによって「チャンネル」選局キーＫ２〜Ｋ７等の中から「ａｉｒｂｏテレビ」キーＫ４が選択された場合は、図１５にフローチャートのステップＣ１０に移行して「ａｉｒｂｏテレビ」に係る番組表情報を読み出す。所定の命令体系に基づいて編集合成処理するためである。
【０１６７】
そして、ステップＣ１１で選局装置１０１では地上波テレビ放送によるテレビ動画映像を受信する。このとき、選局装置１０１では、受信処理手段Ｒ１によって当該チャンネルのテレビ動画映像が受信され取得される。
【０１６８】
また、ステップＣ１２では選局装置１０１によって裏番組に係る静止画映像が受信される。このとき、受信処理手段Ｒ２では第１の実施例と同様にして３秒間に１回の割合でチャンネル選局を巡回動作させることによって複数の裏番組が取得される。
【０１６９】
そして、ステップＣ１３に移行してサーバ１０６からの「ａｉｒｂｏテレビ」と、選局装置１０１で取得したテレビ動画映像と、裏番組に係る静止画映像（サムネイル映像）とが所定の命令体系（アプリケーション）に基づいて編集され合成処理するようになされる。このとき、図１２に示した「ａｉｒｂｏテレビ」の画面の動画表示領域Ｐｍ’に、図４に示した受信処理手段Ｒ１で選局受信したテレビ動画映像を当てはめるように編集される。また、その画面の静止画表示領域Ｐｓ’には同様に示した受信処理手段Ｒ２でチャンネル選局巡回動作させることによって取得した裏番組に係る複数のサムネイル映像を当てはめるように編集される。
【０１７０】
その後、ステップＣ１４で編集合成後の「ａｉｒｂｏテレビ」に係る合成映像をＬＣＤ１２５の同一画面上で表示するようになされる。このとき、例えば、図１３に示したように、動画表示領域Ｐｍ’には第１チャンネルのＫＨＮ総合で現在放送されている、例えば、スキューバダイビング中の女性モデルに係るテレビ動画映像が第１の実施例に比べて大きく表示される。このテレビ動画映像の右側には第１チャンネルに係るＫＨＮ総合放送の番組タイトルが表示されいる。
【０１７１】
この番組タイトルの右隣には第１チャンネルに係るサムネイル映像が表示される。また、第１チャンネルに係るサムネイル映像の下隣りには第３、第４、第６、第８、第１０及び第１２チャンネル等の複数のサムネイル（静止画）映像が縦方向に順次並べて表示されている。これらのサムネイル映像は第１の実施例と同様にして３秒乃至５秒間隔で表示が切り替わるようになされる。
【０１７２】
また、第１チャンネルと同様にして各々のチャンネルのサムネイル映像の左隣りには各々の放送に係る番組タイトルが表示される。これにより、第１、第３、第４、第６、第８、第１０及び第１２チャンネル等の番組タイトルと共に、第１チャンネルのテレビ動画映像や、その裏番組に係る６つのサムネイル映像を結合し連動させた合成映像を同一ウインドウ２０上で視ることができる。
【０１７３】
そして、ステップＣ１５に移行して他のキーが押下（タッチ）されたかを判別する。他のキーが押下されてない場合はステップＣ１４の同一画面上の表示処理を継続する。他のキーが押下された場合はステップＣ１６に移行する。その押下はチャンネル切り換えか、または、他のテレビに関するキーかが判別される。チャンネルが切り換えられた場合はステップＣ１１に戻って、その切り換えられたチャンネルのテレビ動画映像を受信し取得するようになされる。そのテレビ動画映像を動画表示領域Ｐｍ’に表示するためである。
【０１７４】
従って、先のチャンネルから他のチャンネルに切り換えられた場合は、ステップＣ１３で先のテレビ動画映像を静止画情報表示領域Ｐｓ’でサムネイル映像によって表示するように編集され、今回のチャンネル切り換えによって、先に静止画表示領域Ｐｓ’に表示されていたチャンネルの静止画映像を今度は動画表示領域Ｐｍ’でテレビ動画映像によって表示するような編集がなされる。そして、ステップＣ１４で編集合成後の「ａｉｒｂｏテレビ」に係る合成映像をＬＣＤ１２５の同一画面上で表示するようになされる。
【０１７５】
また、ステップＣ１５で他のキーが押下された場合であって、ステップＣ１６でチャネル切り換えでもない場合は、ステップＣ１７に移行してテレビに関するキーであるかが判別される。テレビに関するキーである場合は図１４に示すフローチャートのステップＣ５に戻ってテレビに関するどのキーが押下されたかが判別される。このとき、テレビに関するキーの入力が押下されたような場合はステップＣ２０に移行して他の処理を実行する。
【０１７６】
更に、ステップＣ１５で他のキーが押下された場合であって、ステップＣ１６のチャネル切り換えでもなく、ステップＣ１７のテレビに関するキーのいずれにも該当しない場合はステップＣ１８に移行してインデックス画面２５に戻るかが判別される。インデックス画面２５に戻る場合は「戻る」キーＫ１７等が押下されることから、ステップＣ４に戻ってＬＣＤ１２５にインデックス画面２５を表示する。インデックス画面２５に戻らない場合はステップＣ２９に移行する。
【０１７７】
なお、ステップＣ３でインデックスボタン５５が押下されない場合、ステップＣ５でテレビに関するキーが押下されない場合は及び、ステップＣ９でチャンネルが選局されない場合は、図１５のステップＣ１９にジャンプして他の処理を実行する。その後、ステップＣ２０に移行する。
【０１７８】
このステップＣ２０では当該「ａｉｒｂｏテレビ」を終了して他の表示処理をするか判別される。他の表示処理をする場合は「ＴＯＰ」キーＫ０がタッチされることから、ステップＣ２に戻ってトップページ画面２４を表示した後に、上述した処理を繰り返される。この表示処理を終了する場合、例えば、電源オフ情報を検出して「ａｉｒｂｏテレビ」に係る表示処理を終了する。
【０１７９】
このように、本発明に係る第２の実施例としての番組表情報配信処理システム２によれば、サーバ１０６から「ａｉｒｂｏテレビ」に係る番組表情報を受信して映像表示処理する場合に、ステップＣ１３でサーバ１０６からの「ａｉｒｂｏテレビ」と、選局装置１０１で取得したテレビ動画映像と、裏番組に係る静止画映像（サムネイル映像）とが所定の命令体系（アプリケーション）に基づいて編集され合成処理するようになされる。
【０１８０】
従って、サーバ１０６から受信した「ａｉｒｂｏテレビ」に係る番組表情報に、選択装置１０１で取得したテレビ動画映像やその裏番組に係るサムネイル映像等を結合し連動させた合成映像をＬＣＤ１２５の同一ウインドウ２０上で視ることができる。これにより、当該ＬＣＤ１２５で非常に見やすいユーザ独自のａｉｒｂｏテレビ画面２７を再現性良く構築することができる。
【０１８１】
これらの実施例で、受信可能チャネルが増えて、番組表中の放送局数が増加した場合でも、そのサムネイル映像に隣接して表示された番組タイトルや、その放送番組以降の放送内容を同一画面から知ることができる。これにより、慣れないユーザに取って番組表情報配信処理サービス２を有効に利用できるばかりか、益々この種の配信サービスの需要が向上することが見込まれる。
【０１８２】
これらの実施例では電子情報内容に関して番組表情報の場合について説明したがこれに限られることはなく、例えば、ユーザが取得したビデオ映像と、デジタルカメラで撮影した静止画映像と、ｗｅｂサイトから配信される、例えば、アルバム整理情報等の電子情報内容を編集合成処理して同一画面上で表示する情報処理システムを構築する場合にも同様な効果が得られる。
【０１８３】
【発明の効果】
以上説明したように、本発明に係る情報処理システムによれば、情報配信系に任意の電子情報内容を配信要求して受信する情報処理装置を備え、この情報処理装置は情報配信系から受信した電子情報内容と、自機で取得した表示情報とを編集合成処理し、編集合成後の電子情報内容を表示処理するものである。
【０１８４】
この構成によって、情報配信装置から受信した番組表等の電子情報内容に、自機で取得したテレビ動画映像やその裏番組に係る静止画映像等の表示情報を結合し連動させた合成映像を同一画面上で視ることができる。従って、当該情報処理装置で非常に見やすいユーザ独自の専用の番組表画面等を構築することができる。
【０１８５】
本発明に係る情報処理装置によれば、情報配信系から任意の電子情報内容を受信して情報処理する場合に、電子情報内容を配信する情報配信系と当該電子情報内容を情報処理する制御装置とが通信手段を介して接続され、この制御装置では情報配信系に配信要求して電子情報内容を受信し、この電子情報内容に対して自機で取得した表示情報を編集合成処理し、表示手段には編集合成後の電子情報内容が表示されるものである。
【０１８６】
この構成によって、情報配信系から受信した番組表等の電子情報内容に、自機で取得したテレビ動画映像やその裏番組に係る静止画映像等の表示情報を結合し連動させた合成映像を同一画面上で視ることができる。従って、当該情報処理装置で非常に見やすいユーザ独自専用の番組表画面等を構築することができる。
【０１８７】
本発明に係る情報処理方法によれば、任意の電子情報内容を配信し処理する場合に、電子情報内容を配信する情報配信系と当該電子情報内容を情報処理する情報処理系とを通信手段を通じて接続し、この情報配信系に配信要求して電子情報内容を受信すると共に、情報処理系で表示情報を取得し、この情報配信系から受信した電子情報内容と情報処理系で取得した表示情報とを編集合成し、編集合成後の電子情報内容を同一画面上で表示するようになされる。
【０１８８】
この構成によって、情報配信系から受信した番組表等の電子情報内容に、情報処理系で取得したテレビ動画映像やその裏番組に係る静止画等の表示情報を結合し連動させた合成映像を同一画面上で視ることができる。従って、当該情報処理系で非常に見やすいユーザ独自専用の番組表画面等を構築することができる。
【０１８９】
この発明は既存の放送番組に係る番組表等の電子情報内容を配信するサービスシステムに適用して極めて好適である。
【図面の簡単な説明】
【図１】本発明に係る実施形態としての情報処理システム１００の構成例を示すブロック図である。
【図２】情報処理システム１００における処理例を示すフローチャートである。
【図３】本発明に係る各実施例としての番組表情報配信処理システム２の構成例を示すイメージ図である。
【図４】選局装置１０１の内部構成例を示すブロック図である。
【図５】表示装置１０２の内部構成例を示すブロック図である。
【図６】ＬＣＤ１２５におけるトップページ画面２４の表示例を示すイメージ図である。
【図７】トップページ画面２４上のインデックス画面２５の表示例を示すイメージ図である。
【図８】本発明に係る第１の実施例としてのＬＣＤ１２５における表示領域例を示すイメージ図である。
【図９】ＭＹ番組表画面２６の表示例を示すイメージ図である。
【図１０】第１の実施例としての番組表情報配信処理システム２における処理例（その１）を示すフローチャートである。
【図１１】番組表情報配信処理システム２における処理例（その２）を示すフローチャートである。
【図１２】本発明に係る第２の実施例としてのＬＣＤ１２５における表示領域例を示すイメージ図である。
【図１３】ａｉｒｂｏテレビ画面２７の表示例を示すイメージ図である。
【図１４】第２の実施例としての番組表情報配信処理システム２における処理例（その１）を示すフローチャートである。
【図１５】番組表情報配信処理システム２における処理例（その２）を示すフローチャートである。
【符号の説明】
２・・・番組表情報配信処理システム、２０・・・ウインドウ、２１・・・上部表示部、２２・・・下部表示部、２３・・・コンテンツ表示領域、２４・・・トップページ画面、２５・・・インデックス画面、２６・・・ＭＹ番組表画面、２７・・・ａｉｒｂｏテレビ画面、１００・・・情報処理システム、１０１・・・選局装置（情報処理装置）、１０２・・・表示装置（情報処理装置）、１０３・・・情報処理装置、１０５・・・インターネット（通信手段）、１０６・・・サーバ（情報配信装置）、１０７・・・データベース、１２５・・・ＬＣＤ（表示手段）、２００，３００・・・制御部（配信要求手段，制御装置）、２０４，３０４・・・ＥＥＰＲＯＭ（記憶装置）、３５１・・・タッチパネル
【図１】
2004007228.tif 000003
【図２】
2004007228.tif 000004
【図３】
2004007228.tif 000005
【図４】
2004007228.tif 000006
【図５】
2004007228.tif 000007
【図６】
2004007228.tif 000008
【図７】
2004007228.tif 000009
【図８】
2004007228.tif 000010
【図９】
2004007228.tif 000011
【図１０】
2004007228.tif 000012
【図１１】
2004007228.tif 000013
【図１２】
2004007228.tif 000014
【図１３】
2004007228.tif 000015
【図１４】
2004007228.tif 000016
【図１５】
2004007228.tif 000017